(57)【特許請求の範囲】
【請求項１】
制御信号を受信するように構成された受信機と、
前記制御信号に基づいて１つの無線フレームよりも小さい間隔中の前記受信機の電力消費を管理するように構成されたコントローラと、を備え、
前記受信機の電力消費は、前記受信機がパワーオンされる複数の時間および前記受信機がパワーダウンされる複数の時間を定義することによって管理され、前記間隔のうちの少なくとも１つは、１つのサブフレームよりも小さい継続時間を有する、無線通信装置。
【請求項２】
前記間隔のうちの少なくとも１つは、１つのシンボルよりも小さい継続時間を有する請求項１に記載の無線通信装置。
【請求項３】
前記シンボルは、約７１．４ｕｓの継続時間を有する請求項２に記載の無線通信装置。
【請求項４】
前記コントローラは、前記間隔の時間的位置を示すパターンを生成するようにさらに構成される請求項１に記載の無線通信装置。
【請求項５】
前記間隔の前記時間的位置は、前記制御信号に依存する請求項４に記載の無線通信装置。
【請求項６】
前記受信機は、前記間隔中にパワーオフされ、前記間隔は１つの無線フレーム内に２つまたはそれより多い間隔を含む、請求項５に記載の無線通信装置。
【請求項７】
前記受信機は、前記間隔と間隔の間にパワーオンされる請求項６に記載の無線通信装置。
【請求項８】
制御信号を受信するように構成された受信機と、
前記制御信号に基づいて１つの無線フレームよりも小さい間隔中において前記受信機の電力消費を管理するように構成され、前記間隔の時間的位置を示すパターンを生成するようにさらに構成されるコントローラと、を備え、
前記間隔の前記時間的位置は前記制御信号に依存し、
前記受信機は前記間隔中にパワーオフされ、前記間隔の間でパワーオンされ、
前記間隔のうちの少なくとも２つの間において、前記受信機は、１つのサブフレームよりも小さい期間の間パワーオンされる、無線通信装置。
【請求項９】
前記間隔のうちの少なくとも２つの間において、前記受信機は、１ｍｓ未満の期間の間電源を入れられる請求項８に記載の無線通信装置。
【請求項１０】
制御信号を受信することと、
前記制御信号に基づいて１つの無線フレームよりも小さい間隔中における受信機の電力消費を管理すること、とを備え、前記受信機の電力消費を管理することは、前記受信機がパワーオンされる複数の時間および前記受信機がパワーダウンされる複数の時間を定義することを含み、前記間隔のうちの少なくとも１つは、１つのサブフレームよりも小さい継続時間を有する、方法。
【請求項１１】
前記間隔のうちの少なくとも１つは、１つのシンボルよりも小さい継続時間を有する請求項１０に記載の方法。
【請求項１２】
前記シンボルは、約７１．４ｕｓの継続時間を有する請求項１１に記載の方法。
【請求項１３】
前記間隔の時間的位置を示すパターンを生成することをさらに備える請求項１０に記載の方法。
【請求項１４】
前記間隔の前記時間的位置は、前記制御信号に依存する請求項１３に記載の方法。
【請求項１５】
前記受信機は、前記間隔中にパワーオフされる、請求項１４に記載の方法。
【請求項１６】
前記受信機は、前記間隔と間隔の間にパワーオンされる、請求項１５に記載の方法。
【請求項１７】
制御信号を受信することと、
前記制御信号に基づいて１つの無線フレームよりも小さい間隔中において受信機の電力消費を管理することと、
前記間隔の時間的位置を示すパターンを生成することと、を備え、
前記間隔の前記時間的位置は前記制御信号に依存し、
前記受信機は前記間隔中にパワーオフされ、
前記受信機は前記間隔の間でパワーオンされ、
前記間隔のうちの少なくとも２つの間において、前記受信機は、１つのサブフレームよりも小さい期間の間パワーオンされる、方法。
【請求項１８】
前記間隔のうちの少なくとも２つの間において、前記受信機は、１ｍｓ未満の期間の間パワーオンされる、請求項１７に記載の方法。
【請求項１９】
制御信号を受信するための手段と、
前記制御信号に基づいて１つの無線フレームよりも小さい間隔中における前記受信するための手段の電力消費を管理するための手段と、を備え、前記受信手段の電力消費を管理することは、前記受信手段がパワーオンされる複数の時間および前記受信手段がパワーダウンされる複数の時間を定義することを含み、前記間隔のうちの少なくとも１つは、１つのサブフレームよりも小さい継続時間を有する、装置。
【請求項２０】
前記間隔のうちの少なくとも１つは、１つのシンボルよりも小さい継続時間を有する請求項１９に記載の装置。
【請求項２１】
前記シンボルは、約７１．４ｕｓの継続時間を有する請求項２０に記載の装置。
【請求項２２】
前記間隔の時間的位置を示すパターンを生成するための手段をさらに備える請求項１９に記載の装置。
【請求項２３】
前記間隔の前記時間的位置は、前記制御信号に依存する請求項２２に記載の装置。
【請求項２４】
前記受信するための手段は、前記間隔中に電源を切られる請求項２３に記載の装置。
【請求項２５】
前記受信するための手段は、前記間隔と間隔の間に電源を入れられる請求項２４に記載の装置。
【請求項２６】
制御信号を受信するための手段と、
前記制御信号に基づいて１つの無線フレームよりも小さい間隔中において受信機の電力消費を管理するための手段と、
前記間隔の時間的位置を示すパターンを生成するための手段と、を備え、
前記間隔の前記時間的位置は前記制御信号に依存し、
前記受信手段は前記間隔中にパワーオフされ、
前記受信手段は前記間隔の間でパワーオンされ、
前記間隔のうちの少なくとも２つの間において、前記受信するための手段は、１つのサブフレームよりも小さい期間の間パワーオンされる、装置。
【請求項２７】
前記間隔のうちの少なくとも２つの間において、前記受信するための手段は、１ｍｓ未満の期間の間電源を入れられる請求項２６に記載の装置。
【請求項２８】
制御信号を受信するためのコードと、
前記制御信号に基づいて１つの無線フレームよりも小さい間隔中における受信機の電力消費を管理するためのコードと、を備え、前記受信機の電力消費を管理することは、前記受信機がパワーオンされる複数の時間および前記受信機がパワーダウンされる複数の時間を定義することを含み、前記間隔のうちの少なくとも１つは、１つのサブフレームよりも小さい継続時間を有する、コンピュータ読み取り可能記憶媒体。
【請求項２９】
前記間隔のうちの少なくとも１つは、１つのシンボルよりも小さい継続時間を有する請求項２８に記載のコンピュータ読み取り可能記憶媒体。
【請求項３０】
前記シンボルは、約７１．４ｕｓの継続時間を有する請求項２９に記載のコンピュータ読み取り可能記憶媒体。
【請求項３１】
前記間隔の時間的位置を示すパターンを生成するためのコードをさらに備える請求項２８に記載のコンピュータ読み取り可能記憶媒体。
【請求項３２】
前記間隔の前記時間的位置は、前記制御信号に依存する請求項３１に記載のコンピュータ読み取り可能記憶媒体。
【請求項３３】
前記受信機は、前記間隔中にパワーオフされる請求項３２に記載のコンピュータ読み取り可能記憶媒体。
【請求項３４】
前記受信機は、前記間隔と間隔の間にパワーオンされる請求項３３に記載のコンピュータ読み取り可能記憶媒体。
【請求項３５】
制御信号を受信するためのコードと、
前記制御信号に基づいて１つの無線フレームよりも小さい間隔中において受信機の電力消費を管理するためのコードと、
前記間隔の時間的位置を示すパターンを生成するためのコードと、を備え、
前記間隔の前記時間的位置は前記制御信号に依存し、
前記受信手段は前記間隔中にパワーオフされ、
前記受信手段は前記間隔の間でパワーオンされ、
前記間隔のうちの少なくとも２つの間において、前記受信機は、１つのサブフレームよりも小さい期間の間パワーオンされるコンピュータ読み取り可能記憶媒体。
【請求項３６】
前記間隔のうちの少なくとも２つの間において、前記受信機は、１ｍｓ未満の期間の間電源を入れられる請求項３５に記載のコンピュータ読み取り可能記憶媒体。
【発明の詳細な説明】
【技術分野】
【０００１】
３５Ｕ．Ｓ．Ｃ．§１１９に基づく優先権の主張
本特許出願は、“POWER TIME-GATING OF HANDSET FRONT END”（ハンドセットフロントエンドの電力タイムゲーティング）という題名を有し、これの譲受人に対して譲渡され、ここにおける引用によって明示でここに組み入れられている仮特許出願第６１／１０４，２０５号（出願日：２００８年１０月９日）に対する優先権を主張するものである。
【０００２】
本開示は、概して、無線通信システムに関するものである。本開示は、より具体的には、無線通信システムにおけるタイムゲーティング（ｔｉｍｅ−ｇａｔｉｎｇ）を介しての節電を容易にするための方法及び装置に関するものである。
【背景技術】
【０００３】
様々な通信サービス、例えば、音声、映像、パケットデータ、メッセージング、ブロードキャスト、等、を提供することを目的として無線通信システムが広範囲にわたって配備されている。これらのシステムは、利用可能なシステムリソース（例えば、帯域幅及び送信電力）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、３ＧＰＰロングタームエボリューション（Ｌｏｎｇ  Ｔｅｒｍ  Ｅｖｏｌｕｔｉｏｎ）（ＬＴＥ）システムと、ＬＴＥ−Ａｄｖａｎｃｅｄ（ＬＴＥ−Ａ）システムと、直交周波数分割多元接続（ＯＦＤＭＡ）システムと、単一搬送波ＦＤＭＡ（ＳＣ−ＦＤＭＡ）システムと、を含む。
【０００４】
典型的に、モバイルデバイスは、電源が入れられている間及び基地局との及び／又は基地局を介してのその他のモバイルデバイスとの通信期間中に電力（例えば、バッテリ電力）を利用する。モバイルデバイスによって消費される電力量は、モバイルデバイスの構成及び／又はモバイルデバイスによって実行中の機能（例えば、演算）に部分的に左右される可能性がある。モバイルデバイスによって利用される電力量を低減させることは、その結果として、モバイルデバイスの向上された全体的な性能に加えて、延長されたバッテリ寿命及びモバイルデバイスとバッテリの低減された使用コストを得ることができるため、低減させることが望ましい。
【０００５】
従って、モバイルデバイスによって利用される電力量を低減させることによって無線通信システムにおける節電を容易にするための方法及び装置の必要性が当業において存在する。
【発明の概要】
【０００６】
以下は、１つ以上の態様について基本的に理解できるようにすることを目的として該態様の単純化された概要を示すものである。この概要は、すべての企図される態様の広範な概要ではなく、及び全態様の主要な又は非常に重要な要素を特定するものではなく、さらにいずれかの態様又は全態様の適用範囲を詳述するものでもない。それの唯一の目的は、後述されるより詳細な発明を実施するための形態の準備段階として、１つ以上の態様の幾つかの概念を単純化された形で提示することである。
【０００７】
本開示の一態様により、無線通信装置は、制御信号を受信するように構成された受信機と、その制御信号に基づいて１つの無線フレームよりも小さい間隔中において受信機の電力消費を管理する（ｒｅｇｕｌａｔｅ）ように構成されたコントローラと、を含むことができる。
【０００８】
本開示の他の態様により、方法は、制御信号を受信することと、その制御信号に基づいて１つ無線フレームよりも小さい間隔中において受信機の電力消費を管理すること、とを含むことができる。
【０００９】
本開示のさらなる態様により、装置は、制御信号を受信するための手段と、その制御信号に基づいて１つ無線フレームよりも小さい間隔中において受信機の電力消費を管理するための手段と、を含むことができる。
【００１０】
本開示のさらに他の態様により、コンピュータプログラムプロダクトは、制御信号を受信するための符号と、その制御信号に基づいて１つの無線フレームよりも小さい間隔中において受信機の電力消費を管理するための符号と、を含むコンピュータによって読み取り可能な媒体、を含むことができる。
【００１１】
本開示のさらに他の態様により、無線通信装置は、制御信号を受信するように構成された受信機と、その制御信号に基づいて１つの無線フレームよりも小さい間隔中において送信機の電力消費を管理するように構成されたコントローラと、を含むことができる。
【００１２】
本開示のさらに他の態様により、方法は、制御信号を受信することと、その制御信号に基づいて１つの無線フレームよりも小さい間隔中において送信機の電力消費を管理すること、とを含むことができる。
【００１３】
本開示のさらに他の態様により、装置は、制御信号を受信するための手段と、その制御信号に基づいて１つの無線フレームよりも小さい間隔中において送信機の電力消費を管理するための手段と、を含むことができる。
【００１４】
本開示のさらに他の態様により、コンピュータプログラムプロダクトは、制御信号を受信するための符号と、その制御信号に基づいて１つの無線フレームよりも小さい間隔中において送信機の電力消費を管理するための符号と、を含むコンピュータによって読み取り可能な媒体、を含むことができる。
【００１５】
上記及び関連する目的を完遂するために、１つ以上の態様は、以降において十分に説明され及び請求項において特に強調される特徴を備える。以下の説明及び添付図面は、１つ以上の態様の一定の例示的特徴を詳述する。しかしながら、これらの特徴は、様々な態様の原理を採用することができる様々な方法のうちの幾つかを示すにすぎず、この説明は、すべての該態様及びそれらの同等物を含むことが意図される。
【００１６】
開示される態様は、以下においては、開示される態様を限定するためではなく例示するために提供された添付図面と関係させて説明され、類似の指定文字は、類似の要素を表す。
【図面の簡単な説明】
【００１７】
【図１】図１は、無線通信システムの態様を示した図である。
【図２】図２は、基地局とアクセス端末との間でのアップリンクとダウンリンクとを含む通信システムを示した図である。
【図３】図３は、通信システムのためのプロトコルスタックの幾つかの態様を示した図である。
【図４】図４は、リソースブロック及びリソース要素を示した無線フレーム構造及びリソースグリッドを示した図である。
【図５】図５は、無線通信システムにおける節電を容易にするアクセス端末の例を示した図である。
【図６】図６は、受信機に関するタイムゲーティングパターンの例を示した図である。
【図７】図７は、送信機に関するタイムゲーティングパターンの例を示した図である。
【図８】図８は、受信機における節電を容易にするためのプロセスの例を示したフローチャートである。
【図９】図９は、送信機における節電を容易にするためのプロセスの例を示したフローチャートである。
【図１０】図１０は、受信機における節電を容易にするシステム例を示した図である。
【図１１】図１１は、送信機における節電を容易にするシステム例を示した図である。
【詳細な説明】
【００１８】
今度は図面を参照して様々な態様が説明される。以下の記述においては、説明する目的上、１つ以上の態様について徹底的に理解できるようにするために数多くの具体的な詳細が示される。しかしながら、該態様は、これらの具体的な詳細なしに実践可能であることが明確であろう。
【００１９】
この出願において用いられる場合において、用語“コンポーネント”、“モジュール”、“システム”、“装置”、等は、コンピュータに関連するエンティティ、例えば、ハードウェア、ファームウェア、ハードウェアとソフトウェアの組み合わせ、ソフトウェア、又は実行中のソフトウェア、を含み、ただしこれらに限定されないことが意図される。例えば、コンポーネントは、プロセッサにおいて実行中のプロセス、プロセッサ、オブジェクト、エクセキュータブル（ｅｘｅｃｕｔａｂｌｅ）、実行スレッド、プログラム、及び／又はコンピュータであることができ、ただしこれらに限定されない。一例として、計算デバイスにおいて実行中のアプリケーション及びその計算デバイスの両方がコンポーネントであることができる。プロセス及び／又は実行スレッド内には１つ以上のコンポーネントが常駐することができ、及び、コンポーネントは、１つのコンピュータ上に局在化する及び／又は２つ以上のコンピュータ間で分散させることができる。さらに、これらのコンポーネントは、様々なデータ構造が格納されている様々なコンピュータによって読み取り可能な媒体から実行可能である。これらのコンポーネントは、ローカル及び／又は遠隔プロセスによって、例えば１つ以上のデータパケット、例えば、ローカルシステム又は分散型システム内の他のコンポーネントと対話中のコンポーネントからのデータ、及び／又はインターネット等のネットワークを通じて信号を用いてその他のシステムと対話中のコンポーネントからのデータ、を有する信号に従って、通信することができる。
【００２０】
さらに、ここにおいては様々な態様が端末と関係させて説明され、端末は、有線端末又は無線端末であることができる。端末は、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザデバイス、又はユーザ装置（ＵＥ）と呼ぶことも可能である。無線端末は、携帯電話、衛星電話、コードレスフォン、セッション開始プロトコル（ＳＩＰ）フォン、ワイヤレスローカルループ（ＷＬＬ）局、パーソナルデジタルアシスタント（ＰＤＡ）、無線接続能力を有するハンドヘルドデバイス、計算デバイス、又は無線モデムに接続されたその他の処理デバイスであることができる。さらに、ここにおいては様々な態様が基地局と関係させて説明される。基地局は、無線端末と通信するために利用することができ、アクセスポイント、ノードＢ、エボルブド（ｅｖｏｌｖｅｄ）ノードＢ（ｅＮＢ）、又はその他の用語で呼ぶことも可能である。
【００２１】
さらに、用語“又は”は、排他的“又は”ではなく包含的“又は”を意味することが意図される。すなわち、その他の規定がない限り、又は文脈から明らかでない限り、句“Ｘは、Ａ又はＢを採用する”は、自然の包含的置換のうちのいずれかを意味することが意図される。すなわち、句“Ｘは、Ａ又はＢを採用する”は、次の事例のうちのいずれによっても満たされる。すなわち、ＸがＡを採用する、ＸがＢを採用する、又はＸがＡ及びＢの両方を採用する。さらに、この出願及び添付される請求項において用いられる場合における冠詞“ａ（１つの）”又は“ａｎ（１つの）”は、概して、その他の規定がない限り又は単数形であることが示されることが文脈から明らかでない限り、“１つ以上”を意味すると解釈されるべきである。
【００２２】
ここにおいて説明される技法は、様々な無線通信システム、例えば、ＣＤＭＡ、ＴＤＭＡ、ＦＤＭＡ、ＯＦＤＭＡ、ＳＣ−ＦＤＭＡ及びその他のシステム、に関して用いることができる。用語“システム”及び“ネットワーク”は、しばしば互換可能な形で用いられる。ＣＤＭＡシステムは、ユニバーサル地上無線アクセス（ＵＴＲＡ）、ｃｄｍａ２０００、等の無線技術を実装することができる。ＵＴＲＡは、広帯域−ＣＤＭＡ（Ｗ−ＣＤＭＡ）と、ＣＤＭＡのその他の変形と、を含む。さらに、ｃｄｍａ２０００は、ＩＳ−２０００規格、ＩＳ−９５規格及びＩＳ−８５６規格を網羅する。ＴＤＭＡシステムは、グローバル移動体通信システム（ＧＳＭ（登録商標））、等の無線技術を実装することができる。ＯＦＤＭＡシステムは、エボルブド（Ｅｖｏｌｖｅｄ）ＵＴＲＡ（Ｅ−ＵＴＲＡ）、ウルトラモバイルブロードバンド（Ｕｌｔｒａ  Ｍｏｂｉｌｅ  Ｂｒｏａｄｂａｎｄ）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等の無線技術を実装することができる。ＵＴＲＡ及びＥ−ＵＴＲＡは、ユニバーサル移動体通信システム（ＵＭＴＳ）の一部である。３ＧＰＰロングタームエボリューション（ＬＴＥ）及びＬＴＥ−Ａｄｖａｎｃｅｄは、Ｅ−ＵＴＲＡを使用し、ダウンリンクにおいてＯＦＤＭＡ及びアップリンクにおいてＳＣ−ＦＤＭＡを採用するＵＭＴＳの新しいリリース版である。ＵＴＲＡ、Ｅ−ＵＴＲＡ、ＵＭＴＳ、ＬＴＥ、ＬＴＥ−Ａｄｖａｎｃｅｄ、及びＧＳＭ（登録商標）は、“第３世代パートナーシッププロジェクト”（３ＧＰＰ）という名称の組織からの文書において記述されている。さらに、ｃｄｍａ２０００及びＵＭＢは、“第３世代パートナーシッププロジェクト２”（３ＧＰＰ２）という名称の組織からの文書において記述されている。さらに、該無線通信システムは、対でない免許不要のスペクトル、８０２．ｘｘ無線ＬＡＮ、ＢＬＵＥＴＯＯＴＨ（登録商標）及びその他の短距離又は長距離の無線通信技法をしばしば用いるピアツーピア（例えばモバイル対モバイル）アドホックネットワークシステムをさらに含むことができる。
【００２３】
様々な態様又は特徴は、幾つかのデバイス、コンポーネント、モジュール、等を含むことができるシステムに関して提示される。様々なシステムは、追加のデバイス、コンポーネント、モジュール、等を含むことができ、及び／又は図と関係させて説明されるすべてのデバイス、コンポーネント、モジュール、等を含まなくてもよいことが理解及び認識されるべきである。これらの手法の組み合わせを用いることもできる。
【００２４】
さらに、主題の説明においては、語句“典型的な”は、１つの例、事例、又は実例を提供することを意味するために用いられる。ここにおいて“典型的な”として説明されるいずれの態様又は設計も、その他の態様又は設計よりも好ましい又は有利であるとは必ずしも解釈されるべきではない。むしろ、語句典型的なの使用は、具体的な形で概念を提示することが意図される。
【００２５】
図１は、３ＧＰＰ  ＬＴＥ  Ｅ−ＵＴＲＡシステムであることができる無線通信システム１００を示す。システム１００は、基地局１１０と３ＧＰＰによって説明されるその他のネットワークエンティティとを含むことができる。基地局は、アクセス端末と通信する固定された局であることができる。各基地局１１０は、特定の地理上のエリアのための通信カバレッジを提供することができる。ネットワーク容量を向上させるために、基地局の全体的なカバレッジエリアを複数の（例えば、３つの）より小さいエリアに分割することができる。各々のより小さいエリアは、各々の基地局サブシステムによってサービスを提供することができる。３ＧＰＰにおいては、用語“セル”は、基地局の最小のカバレッジエリア及び／又はこのカバレッジエリアにサービスを提供する基地局サブシステムを意味することができる。
【００２６】
システムコントローラ１３０は、モビリティ管理エンティティ（ＭＭＥ）と、サービングゲートウェイ（Ｓ−ＧＷ）とを含むことができ、及び、一組の基地局に結合してこれらの基地局のための調整及び制御を提供することができる。Ｓ−ＧＷは、データサービス、例えば、パケットデータ、ボイス・オーバー・インターネット・プロトコル（ＶｏＩＰ）、映像、メッセージング、等をサポートすることができる。ＭＭＥは、ハンドオーバー時におけるソース基地局とターゲット基地局との間での経路切り換えを担当することができる。システムコントローラ１３０は、コア及び／又はデータネットワーク（例えば、インターネット）に結合することができ及びコア及び／又はデータネットワークに結合されたその他のエンティティ（例えば、遠隔サーバ及び端末）と通信することができる。
【００２７】
アクセス端末１２０は、ネットワーク全体に分散することができ、及び、各アクセス端末は、静止型又は移動型であることができる。アクセス端末は、ダウンリンク及びアップリンクを介して基地局と通信することができる。ダウンリンク（又は順方向リンク）は、基地局からアクセス端末への通信リンクを意味し、アップリンク（又は逆方向リンク）は、アクセス端末から基地局への通信リンクを意味する。図１において、２つの矢印を有する実線は、基地局とアクセス端末との間でのアクティブな通信を示す。
【００２８】
図２は、基地局２０４とアクセス端末２０８との間におけるアップリンク２１２とダウンリンク２１４とを含むシステム２００を示す。基地局２０４及びアクセス端末２０８は、図１に示される基地局１１０及びアクセス端末１２０に対応することができる。アップリンク２１２は、アクセス端末２０８から基地局２０４への送信を意味し、ダウンリンク２１４は、基地局２０４からアクセス端末２０８への送信を意味する。
【００２９】
図３は、通信システムのためのプロトコルスタックの幾つかの態様を示す。基地局２０４及びアクセス端末２０８の両方が、図３に示されるプロトコルスタック３００を含むことができる。プロトコルスタックは、物理層（ＰＨＹ）３１６と、メディアアクセス制御（ＭＡＣ）３１８と、より上位の層３２０とを含むことができる。
【００３０】
各プロトコルは、より上位の副層／層からサービスデータユニット（ＳＤＵ）を受信し、プロトコルデータユニット（ＰＤＵ）をより下位の副層／層に提供する。例えば、ＭＡＣ層３１８は、１つ以上の論理チャネル３２２を介してより上位の層３２０からデータを受信する。より上位の層３２０は、パケットデータコンバージェンスプロトコル（ｐａｃｋｅｔ  ｄａｔａ  ｃｏｎｖｅｒｇｆｅｎｃｅ  ｐｒｏｔｏｃｏｌ）（ＰＤＣＰ）と無線リンク制御（ＲＬＣ）とを含むことができる。
【００３１】
ＭＡＣ層３１８は、様々な機能、例えば、論理チャネル３２２とトランスポートチャネル３２４との間のマッピング、論理チャネル３２２のための様々なＰＤＵをトランスポートチャネル３２４のためのトランスポートブロックに多重化する／論理チャネル３２２のための様々なＰＤＵをトランスポートチャネル３２４のためのトランスポートブロックから多重分離すること、ハイブリッド自動再送要求（ＨＡＲＱ）を通じての誤り訂正、トラフィック量測定報告、
アクセス端末の論理チャネル３２２間での優先度処理、動的スケジューリングを介してのアクセス端末間での優先度処理、トランスポートフォーマット選択、パディング（ｐａｄｄｉｎｇ）、等、を行うことができる。
【００３２】
物理層３１６は、複数の物理制御チャネル３２６を提供するように構成することができる。アクセス端末２０４は、制御チャネルのこの組をモニタリングするように構成することができる。物理層３１６は、物理チャネル３２６を介してデータトランスポートサービスを提供することもできる。ダウンリンク信号送信のための幾つかの物理チャネルは、物理ダウンリンク制御チャネル（ＰＤＣＣＨ）、物理ハイブリッドＡＲＱインジケータチャネル（ＰＨＩＣＨ）、及び物理ダウンリンク共有チャネル（ＰＤＳＣＨ）であることができる。アップリンク信号送信のための幾つかの物理チャネルの一部は、物理アップリンク制御チャネル（ＰＤＣＣＨ）、物理アップリンク共有チャネル（ＰＵＳＣＨ）、及び物理ランダムアクセスチャネル（ＰＲＡＣＨ）であることができる。
【００３３】
システム１００は、ダウンリンクのための直交ＯＦＤＭＡ及びアップリンクのためのＳＣ−ＦＤＭＡを用いることができる。ＯＦＤＭの根底にある基本的な発想は、利用可能な周波数スペクトルを幾つかの副搬送波に分割することである。高いスペクトル効率を得るために、副搬送波の周波数応答は重なり合い及び直交である。システム１００においては、ＯＦＤＭＡダウンリンク送信及びアップリンク送信は、編成して無線フレームに入れることができ、１つの無線フレームは、継続時間が約１０ｍｓである。１０ｍｓの無線フレームは、典型的であること、及び本開示の態様は、異なる継続時間及びフレーム構造を有するその他の無線フレームに適用できることが注目されるべきである。フレーム構造は、周波数分割複信（ＦＤＤ）（別々のアウトワード（ｏｕｔｗａｒｄ）信号及びリターン信号への周波数分割多重化の適用）及び時分割複信（ＴＤＤ）（別々のアウトワード信号及びリターン信号への時分割多重化の適用）の両方に適用することができる。図４に示されるように、各無線フレームは、長さが１０ｍｓであり、０．５ｍｓの２０のスロットから成り、０乃至１９の番号が付される。サブフレームは、２つの連続するスロットであり、サブフレームｉは、スロット２ｉ及び２ｉ＋１から成ると定義される。サブフレームは、送信時間間隔（ＴＴＩ）と呼ぶことができる。ＦＤＤに関しては、各々の１０ｍｓ間隔においてダウンリンク送信のために１０のサブフレームを利用可能であり、アップリンク送信のために１０のサブフレームを利用可能である。アップリンク及びダウンリンク送信は、周波数領域において分離される。ＴＤＤに関しては、サブフレームは、ダウンリンク又はアップリンク送信のいずれにも割り当てられる。サブフレーム０及びサブフレーム５は、ダウンリンク送信のために常に割り当てることができる。
【００３４】
各スロット内の信号は、ＮＳＣＲＢの副搬送波及びＮＳＹＭＢのシンボルのリソースグリッドによって説明することができ、それらは、ダウンリンクに関してはＯＦＤＭシンボル、アップリンクに関してはＳＣ−ＦＤＭＡシンボルであることができる。各シンボルは、継続時間が約７１．４μｓであることができる。基地局１１０からの多アンテナ送信の場合は、アンテナポートごとに定義された１つのリソースグリッドが存在することができる。アンテナポートは、セル内において一意であるダウンリンク基準信号（ＤＬＲＳ）によって定義することができる。アンテナポートｐのためのリソースグリッド内の各要素は、リソース要素と呼ぶことができ、インデックス対（ｋ、ｌ）によって一意で識別され、ここで、ｋ及びｌは、それぞれ周波数領域及び時間領域におけるインデックスである。１つ、２つ、４つ、又はそれよりも多いアンテナポートをサポートすることができる。物理リソースブロックは、時間領域におけるＮＳＹＭＢの連続するシンボル及び周波数領域におけるＮＳＣＲＢ（例えば、１２）の連続する副搬送波であると定義することができる。従って、リソースブロックは、ＮＳＹＭＢ×ＮＳＣＲＢのリソース要素から成る。
【００３５】
システム１００を通じて送信されたデータは、非リアルタイム（ＮＲＴ）データ又はリアルタイム（ＲＴ）データとして分類することができる。ＮＲＴデータの例は、アクセス端末によるウェブブラウジング中に又はアクセス端末へのテキストメッセージング中に送信されたデータを含み、その一方で、ＲＴデータの例は、アクセス端末間での音声通信である。
【００３６】
データパケット（ＮＲＴ及びＲＴの両方）は、ＰＤＳＣＨで基地局からアクセス端末に送信される。ＰＤＳＣＨでは様々な変調及びコーディング方式（ＭＣＳ）がサポートされる。変調方式は、直交位相偏移変調（ＱＰＳＫ）と、直交振幅変調（ＱＡＭ）、例えば、１６ＱＡＭ及び６４ＱＡＭ、とを含むことができる。誤り訂正のために用いられる様々なコーディングレートを用いることができる。変調方式とコーディングレートの組み合わせは、その結果、大きい数（例えば、３０）の可能なＭＳＣを得ることができる。
【００３７】
基地局からのアップリンク及びダウンリンク制御シグナリングは、ＰＤＣＣＨ及びＰＨＩＣＨにおいて送信することができる。ＰＤＣＣＨは、概して、ダウンリンク制御チャネルとして働くことができる。ＰＤＣＣＨダウンリンク制御シグナリングは、リソーススケジューリング情報を含むことができる。ＰＨＩＣＨは、アップリンクパケットが正確に受信されたときには肯定応答信号（ＡＣＫ）及びアップリンクパケットが不正確に受信されたときには否定応答信号（ＮＡＫ）の形でフィードバックを送信することによってそのパケットが基地局において正確に受信されたかどうかをダウンリンクにおいてアクセス端末に示すために用いることができる。
【００３８】
リソースをスケジューリングするときには、基地局は、ダウンリンク及び／又はアップリンクにおける物理的リソースの量を特定のアクセス端末に許可するスケジューリング許可（ｇｒａｎｔ）をＰＤＣＣＨで送信することができる。アップリンクスケジューリング許可に関して、物理リソースのこの量は、幾つかのアップリンクリソースブロックから成る。基地局は、アクセス端末がそれのアップリンクデータを再送信しなければならないかどうかを知ることができるようにするために、許可された組のアップリンクリソースブロックが通過した時点でＡＣＫ又はＮＡＫをアクセス端末に適宜送信することができる。
【００３９】
図５は、無線通信システムにおける節電を容易にするアクセス端末を示す。アクセス端末５００は、図１に示されるアクセス端末１２０のうちの１つに対応することができる。図５に示されるように、アクセス端末５００は、例えば１つ以上の受信アンテナ（示されていない）から複数の信号を受信し、受信された信号に対して典型的な動作（例えば、フィルタリング、増幅、ダウンコンバージョン、等）を行い、コンディショニングされた信号をデジタル化してサンプルを得る受信機５０２を含むことができる。受信機５０２は、示されるように単一の受信機であること、又は各々の別個の通信プロトコルのための複数の受信機を含むことができる。受信機５０２は、受信された信号をプロセッサ５０６に提供する前に必要なアナログ信号処理を行う責任を有するアナログフロントエンド（ＲＸ  ＡＦＥ）５０４を含むこともできる。例えば、ＲＸ  ＡＦＥ５０４は、各信号からの受信されたシンボルを復調することができる復調器を含むことができる。復調器の一部として又は追加として、ＲＸ  ＡＦＥ５０４は、低雑音増幅器（ＬＮＡ）と、ミキサと、ベースバンドフィルタ（ＢＢＦ）と、アナログ−デジタル変換器（ＡＤＣ）と、位相同期回路式局部発振器（ＰＬＬ／ＬＯ）と、を含むことができる。これらのコンポーネントは、その他と同様に、受信機５０２のＲＸ  ＡＦＥ５０４を成すことができる。受信機５０２は、デジタルバックエンド（ＤＢＥ）コンポーネント、例えば、デジタル信号バッファ、デジタル低域通過フィルタ（ＤＬＰＦ）、デシメータ（ｄｅｃｉｍａｔｏｒ）、高速フーリエ変換器（ＦＦＴ）、シンクロナイザ、等化器、復調器、復号器、等、を含むこともできる。これらのコンポーネントもタイムゲーティングすることができる。
【００４０】
プロセッサ５０６は、受信機５０２によって受信された情報を分析すること及び／又は送信機５１２による送信のための情報を生成することが専用のプロセッサ、アクセス端末５００の１つ以上のコンポーネントを制御するプロセッサ、及び／又は受信機５０２によって受信された情報を分析し、送信機５１２による送信のための情報を生成し、及びアクセス端末５００の１つ以上のコンポーネントを制御するプロセッサ、であることができる。
【００４１】
送信機５１２は、示されるように、単一の送信機であること、又は、各々の別個の通信プロトコルのための複数の送信機を含むことができる。送信機５１２は、例えば、衛星、基地局、ウェブ／インターネットアクセスポイント名（ＡＰＮ）、及び他のアクセス端末、等、への送信のためにアンテナ（示されていない）に信号を提供する前に必要なアナログ信号処理を行う責任を有するアナログフロントエンド（ＴＸ  ＡＦＥ）５１４を含むこともできる。例えば、ＴＸ  ＡＦＥ５１４は、プロセッサから受信された信号を変調することができる変調器を含むことができる。変調器の一部として又は追加で、ＴＸ  ＡＦＥ５１４は、スペクトル成形フィルタと、デジタル−アナログ変換器（ＤＡＣ）と、ミキサと、ＢＢＦと、電力増幅器と、ＰＬＬ／ＬＯと、を含むことができる。これらのコンポーネントは、その他と同様に、送信機５１２のＴＸ  ＡＦＥ５１４を成すことができる。
【００４２】
受信機５０２及び送信機５１２は、コントローラ５１０に直接又はプロセッサ５０６（示される）を介して動作可能な形でさらに結合することができる。コントローラ５１０は、特定のタイムゲーティングパターンに基づいてＲＸ  ＡＦＥ５０４及びＴＸ  ＡＦＥ５１４をパワーダウン又はパワーアップさせることによって受信機５０２及び送信機５１２の電力消費を管理することができる。コントローラ５１０は、ＲＸ  ＡＦＥ５０４及びＴＸ  ＡＦＥ５１４のための各々のタイムゲーティングパターンを様々な要因、例えば、基地局から受信されたリソーススケジューリング情報、アクセス端末５００による時間ー周波数リソースの使用、及びその他の要因（例えば、制御処理遅延、アナログブロックウェークアップ時間、局部発振器周波数、等）から導き出すことができる。各々のタイムゲーティングパターンは、受信機５０２及び送信機５１２の大部分の又はすべてのコンポーネントの電源が入れられる（パワーオンされる）及び切られる（パワーオフされる）期間であるシンボル（リソース要素）及びサブフレームを制御することによってコントローラ５１０が受信機５０２及び送信機５１２の電力消費を時間的に管理することを可能にする。受信機５０２内のその他のＤＢＥコンポーネントも、ＲＸ  ＡＦＥ５０４と同様の方法で完全に又は部分的にタイムゲーティングすることができる。タイムゲーティング時には、コントローラ５１０は、アクセス端末５００が信号を効率的に受信及び送信することができるように、ＲＸ  ＡＦＥ５０４及びＴＸ  ＡＦＥ５１４内の各々のコンポーネントのための特定のウェークアップ時間（例えば、コンポーネントの電源が入れられる期間）を設定することができる。ＲＸ  ＡＦＥ５０４及びＴＸ  ＡＦＥ５１４内の様々なコンポーネントは、別々に電源を入れる又は切ることができ及びウェークアップ時間は、サブシンボルの継続時間（例えば、５乃至１０ｕｓ）を有することができることが注目されるべきである。例えば、ウェークアップタイマーは、ＬＮＡに関しては１０ｕｓ、ＡＤＣ、ＤＡＣ、ＬＯドライバ、及びベースバンド増幅器に関しては５ｕｓ、合成器に関しては１５０ｕｓに設定することができる。
【００４３】
アクセス端末５００は、無線フレームにおいて受信された情報に基づいてタイムゲーティングを実行することができる。例えば、アクセス端末５００は、無線フレームを基地局１１０から受信することができる。無線フレームの最初のシンボル、最初の２つ、又は最初の３つのシンボルは、着信中の送信がアクセス端末５００向けであるかどうかを示す制御情報を含むことができる。代替として、アクセス端末５００は、様々なダウンリンクリソース要素をアクセス端末５００に割り当てるスケジュールを基地局１１０から予め受信していることができ、それも、着信中の送信がアクセス端末５００向けであるかどうかを同じく示すことができる。スケジュールは、ＰＤＣＣＨを介して送信することができる。コントローラ５１０は、制御情報又はスケジュールを処理すること及び着信中の送信がアクセス端末５００向けであるかどうかを決定することができる。無線フレームがアクセス端末５００向けであることをコントローラ５１０が決定した場合は、それは、アクセス端末５００が無線フレームの残りの部分を受信及び処理するのを可能にするために無線フレームの少なくとも継続時間の間ＲＸ  ＡＦＥ５０４への電力を維持することができる。しかしながら、コントローラ５１０が、無線フレームがアクセス端末５００向けでないことを制御情報又はスケジュールから決定した場合は、コントローラは、該当する情報が受信されることが予想されるときのみにＲＸ  ＡＦＥ５０４の電源が入れられるようにタイムゲーティングパターンを生成し及びタイムゲーティングパターンに従ってＲＸ  ＡＦＥ５０４に電力を提供することができる。
【００４４】
受信機５０２に関する該タイムゲーティングパターンの例が図６に示される。
【００４５】
要素６０２は、アクセス端末５００のための該当情報を含むシンボルを示す。各シンボルは、継続時間が約７１．４ｕｓであることができる。例えば、シンボル０、１、２内の要素６０２は、コントローラ５１０がタイムゲーティングパターンを生成することができる元になる制御情報を含むことができる。この例においては、コントローラ５１０は、無線フレームがアクセス端末５００向けでないことを決定し、このため、基地局１１０からパイロット信号を受信したときのみに（すなわち、シンボル４、８、１２、等、の間に）ＲＸ  ＡＦＥ５０４の電源が入れられるのを許容するタイムゲーティングパターンを生成した。ＲＸ  ＡＦＥ５０４のコンポーネントは、非アクティブなアイドル状態にならないようにするために、シンボル４、８、１２、等、の間にはパイロット信号を有するシンボルを受信するために電源が入り、すべてのその他のシンボル３、５、６、７、９、１１、１３、等に関してはパワーダウンするようにすることができる。この方法により、コントローラ５１０は、アクセス端末５００のための電力を節約することができる。代替として、ＲＸ  ＡＦＥ５０４のコンポーネントも、パイロット信号を有するシンボルのうちの一部又は全部に関してパワーダウンすることができる。この代替のタイムゲーティングパターンは、チャネル推定品質を犠牲にしてより高いレベルの節電を提供することができる。受信された制御情報を処理することと関連づけられたある程度の遅延が存在することが可能であり、それは、その処理遅延に起因してシンボル３の少なくとも一部分中にＲＸ  ＡＦＥ５０４に電源が入れられるようにすることができる。
【００４６】
コントローラ５１０は、様々な異なるモード、例えば、持続的割り当て（ｐｅｒｓｉｓｔｅｎｔ  ａｓｓｉｇｎｍｅｎｔ）モード及びスケジューリングされた割り当てモード、で動作することもできる。持続的割り当てモードでは、最初の３つのシンボルが受信及び復号され、幾つかの（例えば、１０の）無線フレームごとに１回リソースが持続的に割り当てられることをコントローラ５１０が決定したときには、コントローラ５１０は、処理遅延がないと仮定した場合、現在の無線フレームのための現在のサブフレーム内の残りの１１のシンボル全部の間にＲＸ  ＡＦＥ５０４の電源を切ることができる。スケジューリングされた割り当てモードにおいては、ＲＸ  ＡＦＥ５０４はすべてのＰＤＣＣＨ中に電源を入れることができ、コントローラ５１０は、第２のスロットにおいてパイロットを受信しないように設定することができる。この場合は、ＲＸ  ＡＦＥ５０４は、第２のスロット全体中に及び第１のスロットの残りの部分の間に電源を切ることができる。
【００４７】
コントローラ５１０は、送信機５１２のＴＸ  ＡＦＥ５１４のためのタイムゲーティングパターンを同様に生成することができる。例えば、アクセス端末５００は、様々なアップリンクリソース要素をアクセス端末５００に割り当てるスケジュールを基地局１１０から受信することができる。スケジュールは、ＰＵＣＣＨを介して送信することができる。スケジュールは、アクセス端末５００がデータ又は音声パッケージを他のユーザから受信中であるかどうかを示す制御情報を含むこともでき、データ又は音声パッケージが着信中でない場合は、アクセス端末５００は、ネットワークとの接続を維持するように基地局１１０にシグナリングすることができる。コントローラ５１０は、制御情報を処理し、いつ及びどれだけの時間基地局１１０に送信すべきかを決定することができる。データ又は音声パッケージが着信中であることをコントローラ５１０が決定した場合は、それは、少なくともそのデータ又は音声パッケージの継続時間の間ＴＸ  ＡＦＥ５１４への電力を維持することができる。コントローラ５１０は、リアルタイムの音声呼中に又は音声及び／又はデータパッケージが連続的に着信中でない又は送信中でないデータサービスの使用中にタイムゲーティングに従ってＴＸ  ＡＦＥ５１４及びＲＸ  ＡＦＥ５０４の電源を切ることもできる。それは、基地局１１０内のリソーススケジューラがアクセス端末５００のための音声及びデータトラフィックを時間バースト（ｔｉｍｅ−ｂｕｒｓｔｙ）（すなわち、連続するサブフレームにおいて受信又は送信しない）であるように設定する場合である。しかしながら、コントローラ５１０が、着信中のデータ又は音声パッケージが存在しないこと及びアクセス端末５００が特定のサブフレーム中に状態情報を基地局１１０に送信することが要求されることを制御情報から決定した場合は、コントローラは、その１つのサブフレーム、又はアクセス端末５００が基地局１１０に情報を送信することが要求される期間であるその他のサブフレームの送信中のみにＴＸ  ＡＦＥ５１４の電源が入れられるようにタイムゲーティングパターンを生成しそのタイムゲーティングパターンに従ってＴＸ  ＡＦＥ５１４に電力を提供することができる。
【００４８】
該タイムゲーティングパターンの例が図７に示される。この例では、コントローラ５１０は、着信中のデータ又は音声パッケージが存在しないこと及びアクセス端末５００が無線フレームの第１のサブフレーム中に基地局１１０に状態情報を送信することが要求されることを決定した。従って、コントローラ５１０は、基地局１１０に状態情報を送信するときに第１のサブフレーム０中のみにおいてＴＸ  ＡＦＥ５１４の電源が入れられることを許容するタイムゲーティングパターンを生成した。これで、ＴＸ  ＡＦＥ５１４のコンポーネントは、非アクティブなアイドル状態にならないようにするために、サブフレーム０中に状態情報を送信するために電源が入り、すべてのその他のサブフレームに関してパワーダウンするようになることができる。このようにして、コントローラ５１０は、送信機５１２による節電を容易にすることができる。
【００４９】
アクセス端末５００は、プロセッサ５０６に動作可能な形で結合され及び送信されるべきデータ、受信されたデータ、利用可能なチャネルに関連する情報、分析された信号及び／又は干渉の強度と関連づけられたデータ、割り当てられたチャネル、電力、レート、等、に関連する情報、及びチャネルを推定するための及びそのチャネルを介して通信するためのその他の適切な情報を格納することができるメモリ５０８をさらに含むことができる。メモリ５０８は、チャネルを推定する及び／又は利用することと関連づけられたプロトコル及び／又はアルゴリズムをさらに格納することができる（例えば、性能に基づく、容量に基づく）。
【００５０】
ここにおいて説明されるデータストア（例えば、メモリ５０８）は、揮発性メモリ又は非揮発性メモリのいずれかであることができ、又は揮発性メモリと非揮発性メモリの両方を含むことができることが認識されるであろう。一例として、及び限定することなしに、非揮発性メモリは、読み取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、又はフラッシュメモリを含むことができる。揮発性メモリは、外部のキャッシュメモリとして動作するランダムアクセスメモリ（ＲＡＭ）を含むことができる。一例として及び限定することなしに、ＲＡＭは、数多くの形態、例えば、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンク（Ｓｙｎｃｈｌｉｎｋ）ＤＲＡＭ（ＳＬＤＲＡＭ）、及びダイレクトランバス（Ｒａｍｂｕｓ）ＲＡＭ（ＤＲＲＡＭ）、で入手可能である。主題のシステム及び方法のメモリ５０８は、限定されることなしに、これらの及びその他の適切なタイプのメモリを備えることが意図される。
【００５１】
コントローラ５１０は、プロセッサ５０６を介して送信機５１４とインタフェースすることによって、メモリ５０８内での取得及び格納、及びその他のネットワーク上の基地局、衛星及びデバイスとの直接通信をさらに制御することができる。
【００５２】
コントローラ５１０は、プロセッサ５０６とは別個に描かれているが、プロセッサ５０６又は複数のプロセッサ（示されていない）の一部であることができることが認識されるべきである。さらに、コントローラ５１０の機能は、アプリケーション層、データスタック、ＨＴＴＰスタックにおいて、オペレーティングシステム（ＯＳ）レベルにおいて、インターネットブラウザアプリケーションにおいて、又は特定用途向け集積回路（ＡＳＩＣ）において統合することができる。
【００５３】
図８は、受信機における節電を容易にするためのプロセスの例を示したフローチャートである。プロセスは、アクセス端末５００に実装することができる。図８に示されるように、ブロック８０２において、制御情報が受信されているかどうかに関する決定を行うことができる。制御情報が受信されている場合は、プロセスは、ブロック８０４に続くことができ、そうでない場合は、プロセスは、ブロック８０２に戻ることができる。例えば、アクセス端末５００は、制御情報又はスケジュールを基地局１１０から受信することができる。
【００５４】
ブロック８０４において、着信中の送信、例えば、無線フレーム、がアクセス端末向けであるかどうかに関する決定を行うことができる。送信がアクセス端末向けである場合は、プロセスは、ブロック８０６に進むことができ、そうでない場合は、プロセスは、ブロック８０８に進むことができる。例えば、制御情報又はスケジュールを復号し次第、コントローラ５１０は、送信又はフレームがアクセス端末５００向けであるかどうかを決定することができる。
【００５５】
ブロック８０６において、受信機がアクセス端末向けの送信全体を受信することができるようにするために一定の電力を受信機に提供すること及び／又は維持することができる。その後は、プロセスは、ブロック８１２に進むことができる。
【００５６】
ブロック８０８において、タイムゲーティングパターンを生成することができ、プロセスは、ブロック８１０に進むことができる。例えば、コントローラ５１０は、ＲＸ  ＡＦＥ５０４の電源が入れられる又は切られるときを管理するタイムゲーティングパターンを生成することができる。
【００５７】
ブロック８１０において、受信機の電力は、生成されたタイムゲーティングパターンに基づいて管理することができ、プロセスは、ブロック８１２に進むことができる。例えば、コントローラ５１０は、１つの無線フレームよりも小さい間隔（例えば、おおよそで、１つのシンボルの継続時間）中にＲＸ  ＡＦＥ５０４の電源を切ることによってそれらの間隔中において受信機の電力消費を管理することができる。
【００５８】
ブロック８１２において、アクセス端末５００の電源が切られるかどうかに関する決定を行うことができる。アクセス端末５００の電源が切られない場合は、プロセスは、ブロック８０２に戻ることができる。そうでない場合は、プロセスは終了することができる。
【００５９】
図９は、送信機における節電を容易にするためのプロセスの例を示したフローチャートである。プロセスは、アクセス端末５００に実装することができる。図９に示されるように、ブロック９０２において、制御情報が受信されているかどうかに関する決定を行うことができる。制御情報が受信されている場合は、プロセスは、ブロック９０４に進むことができ、そうでない場合は、プロセスは、ブロック９０２に戻ることができる。例えば、アクセス端末５００は、基地局１１０から制御情報又はスケジュールを受信することができる。
【００６０】
ブロック９０４において、送信機の電源が継続的に入れられていることが要求されるかどうかに関する決定を行うことができる。送信機の電源が継続的に入れられていることが要求される場合は、プロセスは、ブロック９０６に進むことができる。そうでない場合は、プロセスは、ブロック９０８に進むことができる。
【００６１】
ブロック９０６において、あらゆる該当情報を送信するために送信機を用いることができるように一定の電力を送信機に提供する及び／又は維持することができる。その後は、プロセスは、ブロック９１２に進むことができる。
【００６２】
ブロック９０８において、タイムゲーティングパターンを生成することができ、プロセスは、ブロック９１０に進むことができる。例えば、コントローラ５１０は、ＴＸ  ＡＦＥ５１４の電源が入れられる及び切られるときを管理するタイムゲーティングパターンを生成することができる。
【００６３】
ブロック９１０において、送信機の電力は、生成されたタイムゲーティングパターンに基づいて管理することができ、プロセスはブロック９１２に進むことができる。例えば、コントローラ５１０は、１つの無線フレームよりも小さい間隔（例えば、おおよそで、１つのサブフレームの継続時間）中にＴＸ  ＡＦＥ５１４の電源を入れることによってそれらの間隔中において送信機の電力消費を管理することができる。
【００６４】
ブロック９１２において、アクセス端末５００の電源が切られるかどうかに関する決定を行うことができる。アクセス端末５００の電源が切られない場合は、プロセスは、ブロック９０２に戻ることができる。そうでない場合は、プロセスは、終了することができる。
【００６５】
図１０は、受信機における節電を容易にするシステム例１０００の例を示す。例えば、システム１０００は、アクセス端末、等内に少なくとも部分的に常駐することができる。システム１０００は、プロセッサ、ソフトウェア、又はそれらの組合せ（例えばファームウェア）によって実装される機能を表す機能ブロックであることができる機能ブロックを含むものとして表されることが認識されるべきである。システム１０００は、連係して動作することができる手段から成る論理グループ１００２を含む。例えば、論理グループ１００２は、制御信号１００４を受信するための手段と、制御信号１００６に基づいて１つの無線フレームよりも小さい間隔中において受信機の電力消費を管理するための手段と、を含む。さらに、システム１０００は、手段１００４乃至１００６と関連づけられた機能を実行するための命令を保持するメモリ１００８を含むことができる。手段１００４乃至１００６はメモリ１００８の外部に存在するものとして示されている一方で、これらの手段のうちの１つ以上は、メモリ１００８内に存在できることが理解されるべきである。
【００６６】
図１１は、送信機における節電を容易にするシステム例１１００を示す。例えば、システム１１００は、アクセス端末、等内に少なくとも部分的に常駐することができる。システム１１００は、プロセッサ、ソフトウェア、又はそれらの組合せ（例えばファームウェア）によって実装される機能を表す機能ブロックであることができる機能ブロックを含むものとして表されることが認識されるべきである。システム１１００は、連係して動作することができる手段から成る論理グループ１１０２を含む。例えば、論理グループ１１０２は、制御信号１１０４を受信するための手段と、制御信号１１０６に基づいて１つの無線フレームよりも小さい間隔中において送信機の電力消費を管理するための手段と、を含む。さらに、システム１１００は、手段１１０４乃至１１０６と関連づけられた機能を実行するための命令を保持するメモリ１１０８を含むことができる。手段１１０４乃至１１０６はメモリ１１０８の外部に存在するものとして示されているが、これらの手段のうちの１つ以上は、メモリ１１０８内に存在できることが理解されるべきである。
【００６７】
ここにおいて開示される実施形態と関係させて説明される様々な例示的な論理、論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、従来のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる適切な構成、として実装することも可能である。さらに、少なくとも１つのプロセッサは、上述されるステップ及び／又は動作のうちの１つ以上を実行するために動作可能な１つ以上のモジュールを備えることが可能である。
【００６８】
さらに、ここにおいて開示される態様と関係させて説明される方法又はアルゴリズムのステップ及び／又は動作は、直接ハードウェア内において、プロセッサによって実行されるソフトウェアモジュール内において、又はこれらの２つの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。典型的記憶媒体は、プロセッサに結合させることができ、このため、プロセッサは、記憶媒体から情報を読み出すこと及び記憶媒体に情報を書き込むことができる。代替においては、記憶媒体は、プロセッサと一体化させることができる。さらに、幾つかの態様においては、プロセッサ及び記憶媒体は、ＡＳＩＣ内に常駐することができる。さらに、ＡＳＩＣは、ユーザ端末内に常駐することができる。代替においては、プロセッサ及び記憶媒体は、ユーザ端末内において個別コンポーネントとして常駐することができる。さらに、幾つかの態様においては、方法又はアルゴリズムのステップ及び／又は動作は、コンピュータプログラムプロダクト内に組み入れることが可能な機械によって読み取り可能な媒体及び／又はコンピュータによって読み取り可能な媒体上において符号及び／又は命令の１つの又はあらゆる組み合わせとして又は符号又は命令の１つの又はあらゆる組として常駐可能である。
【００６９】
１つ以上の態様において、説明される機能は、ハードウェア、ソフトウェア、ファームウェア、又はそれらの組み合わせにおいて実装することができる。ソフトウェアにおいて実装される場合は、これらの機能は、１つ以上の命令又は符号としてコンピュータによって読み取り可能な媒体に格納すること又は１つ以上の命令又は符号として送信することができる。コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、コンピュータによってアクセス可能なあらゆる利用可能な媒体であることができる。一例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコードを搬送又は格納するために用いることができ及びコンピュータによってアクセス可能であるその他の媒体、を備えることができる。さらに、いずれの接続もコンピュータによって読み取り可能な媒体であるとすることができる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイ（登録商標）ディスク（ｄｉｓｃ）と、を含み、ここで、ｄｉｓｋは、通常は磁気的にデータを複製し、ｄｉｓｃは、通常はレーザを用いて光学的にデータを複製する。上記の組合せも、コンピュータによって読み取り可能な媒体の適用範囲に含めるべきである。
【００７０】
上記の開示は、例示的な態様及び／又は実施形態について説明する一方で、添付された請求項によって定義される説明される態様及び／又は実施形態の適用範囲から逸脱せずに様々な変更及び修正をここにおいて行うことができることが注目されるべきである。さらに、説明される態様及び／又は実施形態の要素は、単数形で説明又は請求することができるが、単数形に限定することが明示されない限り複数形が企図される。さらに、いずれの態様及び／又は実施形態も、別の記述がない限り、その全体又は一部を、その他のあらゆる態様及び／又は実施形態の全体又は一部とともに利用することが可能である。
下記に出願時の請求項１−８０に対応する記載を付記１−８０として表記する。
付記１
制御信号を受信するように構成された受信機と、
前記制御信号に基づいて１つの無線フレームよりも小さい間隔中の前記受信機の電力消費を管理するように構成されたコントローラと、を備える、無線通信装置。
付記２
前記間隔のうちの少なくとも１つは、１つのサブフレームよりも小さい継続時間を有する付記１に記載の無線通信装置。
付記３
前記間隔のうちの少なくとも１つは、１つのシンボルよりも小さい継続時間を有する付記２に記載の無線通信装置。
付記４
前記シンボルは、約７１．４ｕｓの継続時間を有する付記３に記載の無線通信装置。
付記５
前記コントローラは、前記間隔の時間的位置を示すパターンを生成するようにさらに構成される付記１に記載の無線通信装置。
付記６
前記間隔の前記時間的位置は、前記制御信号に依存する付記５に記載の無線通信装置。
付記７
前記受信機は、前記間隔中に電源を切られる付記６に記載の無線通信装置。
付記８
前記受信機は、前記間隔と間隔の間に電源を入れられる付記７に記載の無線通信装置。
付記９
前記間隔のうちの少なくとも２つの間において、前記受信機は、１つのサブフレームよりも小さい期間の間電源を入れられる付記８に記載の無線通信装置。
付記１０
前記間隔のうちの少なくとも２つの間において、前記受信機は、１ｍｓ未満の期間の間電源を入れられる付記９に記載の無線通信装置。
付記１１
制御信号を受信することと、
前記制御信号に基づいて１つの無線フレームよりも小さい間隔中における受信機の電力消費を管理すること、とを備える、方法。
付記１２
前記間隔のうちの少なくとも１つは、１つのサブフレームよりも小さい継続時間を有する付記１１に記載の方法。
付記１３
前記間隔のうちの少なくとも１つは、１つのシンボルよりも小さい継続時間を有する付記１２に記載の方法。
付記１４
前記シンボルは、約７１．４ｕｓの継続時間を有する付記１３に記載の方法。
付記１５
前記間隔の時間的位置を示すパターンを生成することをさらに備える付記１１に記載の方法。
付記１６
前記間隔の前記時間的位置は、前記制御信号に依存する付記１５に記載の方法。
付記１７
前記受信機は、前記間隔中に電源を切られる付記１６に記載の方法。
付記１８
前記受信機は、前記間隔と間隔の間に電源を入れられる付記１７に記載の方法。
付記１９
前記間隔のうちの少なくとも２つの間において、前記受信機は、１つのサブフレームよりも小さい期間の間電源を入れられる付記１８に記載の方法。
付記２０
前記間隔のうちの少なくとも２つの間において、前記受信機は、１ｍｓ未満の期間の間電源を入れられる付記１９に記載の方法。
付記２１
制御信号を受信するための手段と、
前記制御信号に基づいて１つの無線フレームよりも小さい間隔中における前記受信するための手段の電力消費を管理するための手段と、を備える、装置。
付記２２
前記間隔のうちの少なくとも１つは、１つのサブフレームよりも小さい継続時間を有する付記２１に記載の装置。
付記２３
前記間隔のうちの少なくとも１つは、１つのシンボルよりも小さい継続時間を有する付記２２に記載の装置。
付記２４
前記シンボルは、約７１．４ｕｓの継続時間を有する付記２３に記載の装置。
付記２５
前記間隔の時間的位置を示すパターンを生成するための手段をさらに備える付記２１に記載の装置。
付記２６
前記間隔の前記時間的位置は、前記制御信号に依存する付記２５に記載の装置。
付記２７
前記受信するための手段は、前記間隔中に電源を切られる付記２６に記載の装置。
付記２８
前記受信するための手段は、前記間隔と間隔の間に電源を入れられる付記２７に記載の装置。
付記２９
前記間隔のうちの少なくとも２つの間において、前記受信するための手段は、１つのサブフレームよりも小さい期間の間電源を入れられる付記２８に記載の装置。
付記３０
前記間隔のうちの少なくとも２つの間において、前記受信するための手段は、１ｍｓ未満の期間の間電源を入れられる付記２９に記載の装置。
付記３１
制御信号を受信するための符号と、
前記制御信号に基づいて１つの無線フレームよりも小さい間隔中における受信機の電力消費を管理するための符号と、を備えるコンピュータ読み取り可能媒体、を備える、コンピュータプログラムプロダクト。
付記３２
前記間隔のうちの少なくとも１つは、１つのサブフレームよりも小さい継続時間を有する付記３１に記載のコンピュータプログラムプロダクト。
付記３３
前記間隔のうちの少なくとも１つは、１つのシンボルよりも小さい継続時間を有する付記３２に記載のコンピュータプログラムプロダクト。
付記３４
前記シンボルは、約７１．４ｕｓの継続時間を有する付記３３に記載のコンピュータプログラムプロダクト。
付記３５
前記間隔の時間的位置を示すパターンを生成するための符号をさらに備える付記３１に記載のコンピュータプログラムプロダクト。
付記３６
前記間隔の前記時間的位置は、前記制御信号に依存する付記３５に記載のコンピュータプログラムプロダクト。
付記３７
前記受信機は、前記間隔中に電源を切られる付記３６に記載のコンピュータプログラムプロダクト。
付記３８
前記受信機は、前記間隔と間隔の間に電源を入れられる付記３７に記載のコンピュータプログラムプロダクト。
付記３９
前記間隔のうちの少なくとも２つの間において、前記受信機は、１つのサブフレームよりも小さい期間の間電源を入れられる付記３８に記載のコンピュータプログラムプロダクト。
付記４０
前記間隔のうちの少なくとも２つの間において、前記受信機は、１ｍｓ未満の期間の間電源を入れられる付記３９に記載のコンピュータプログラムプロダクト。
付記４１
制御信号を受信するように構成された受信機と、
前記制御信号に基づいて１つの無線フレームよりも小さい間隔中における送信機の電力消費を管理するように構成されたコントローラと、を備える、無線通信装置。
付記４２
前記間隔のうちの少なくとも１つは、サブフレームの前記継続時間である付記４１に記載の無線通信装置。
付記４３
前記サブフレームは、継続時間が１つの無線フレームよりも小さい付記４２に記載の無線通信装置。
付記４４
前記サブフレームは、約１ｍｓの継続時間を有する付記４３に記載の無線通信装置。
付記４５
前記コントローラは、前記間隔の時間的位置を示すパターンを生成するようにさらに構成される付記４１に記載の無線通信装置。
付記４６
前記間隔の前記時間的位置は、前記制御信号に依存する付記４５に記載の無線通信装置。
付記４７
前記送信機は、前記間隔の間電源を入れられる付記４６に記載の無線通信装置。
付記４８
前記送信機は、前記間隔と間隔の間に電源を切られる付記４７に記載の無線通信装置。
付記４９
前記間隔のうちの少なくとも２つの間において、前記送信機は、１つの無線フレームよりも小さい期間の間電源を切られる付記４８に記載の無線通信装置。
付記５０
前記間隔のうちの少なくとも１つ中において、前記送信機は、１つの無線フレームよりも小さい期間の間電源を入れられる付記４９に記載の無線通信装置。
付記５１
制御信号を受信することと、
前記制御信号に基づいて１つの無線フレームよりも小さい間隔中における送信機の電力消費を管理すること、とを備える、方法。
付記５２
前記間隔のうちの少なくとも１つは、サブフレームの前記継続時間である付記５１に記載の方法。
付記５３
前記サブフレームは、継続時間が１つの無線フレームよりも小さい付記５２に記載の方法。
付記５４
前記サブフレームは、約１ｍｓの継続時間を有する付記５３に記載の方法。
付記５５
前記間隔の時間的位置を示すパターンを生成することをさらに備える付記５１に記載の方法。
付記５６
前記間隔の前記時間的位置は、前記制御信号に依存する付記５５に記載の方法。
付記５７
前記送信機は、前記間隔中に電源を入れられる付記５６に記載の方法。
付記５８
前記送信機は、前記間隔と間隔の間に電源を切られる付記５７に記載の方法。
付記５９
前記間隔のうちの少なくとも２つの間において、前記送信機は、１つの無線フレームよりも小さい期間の間電源を切られる付記５８に記載の方法。
付記６０
前記間隔のうちの少なくとも１つ中において、前記送信機は、１つの無線フレームよりも小さい期間の間電源を入れられる付記５９に記載の方法。
付記６１
制御信号を受信するための手段と、
前記制御信号に基づいて１つの無線フレームよりも小さい間隔中における送信機の電力消費を管理するための手段と、を備える、装置。
付記６２
前記間隔のうちの少なくとも１つは、１つのサブフレームの前記継続時間である付記６１に記載の装置。
付記６３
前記サブフレームは、継続時間が１つの無線フレームよりも小さい付記６２に記載の装置。
付記６４
前記サブフレームは、約１ｍｓの継続時間を有する付記６３に記載の装置。
付記６５
前記間隔の時間的位置を示すパターンを生成するための手段をさらに備える付記６１に記載の装置。
付記６６
前記間隔の前記時間的位置は、前記制御信号に依存する付記６５に記載の装置。
付記６７
前記送信機は、前記間隔中に電源が入れられる付記６６に記載の装置。
付記６８
前記送信機は、前記間隔と間隔の間に電源が切られる付記６７に記載の装置。
付記６９
前記間隔のうちの少なくとも２つの間において、前記送信機は、１つの無線フレームよりも小さい期間の間電源が切られる付記６８に記載の装置。
付記７０
前記間隔のうちの少なくとも１つ中において、前記送信機は、１つの無線フレームよりも小さい期間の間電源が入れられる付記６９に記載の装置。
付記７１
コンピュータプログラムプロダクトであって、
制御信号を受信するための符号と、
前記制御信号に基づいて１つの無線フレームよりも小さい間隔中において送信機の電力消費を管理するための符号と、を備えるコンピュータによって読み取り可能な媒体、を備える、コンピュータプログラムプロダクト。  
付記７２
前記間隔のうちの少なくとも１つは、１つのサブフレームの前記継続時間である付記７１に記載のコンピュータプログラムプロダクト。
付記７３
前記サブフレームは、継続時間が１つの無線フレームよりも小さい付記７２に記載のコンピュータプログラムプロダクト。
付記７４
前記サブフレームは、約１ｍｓの継続時間を有する付記７３に記載のコンピュータプログラムプロダクト。
付記７５
前記間隔の時間的位置を示すパターンを生成するための符号をさらに備える付記７１に記載のコンピュータプログラムプロダクト。
付記７６
前記間隔の前記時間的位置は、前記制御信号に依存する付記７５に記載のコンピュータプログラムプロダクト。
付記７７
前記送信機は、前記間隔中に電源が入れられる付記７６に記載のコンピュータプログラムプロダクト。
付記７８
前記送信機は、前記間隔と間隔の間に電源が切られる付記７７に記載のコンピュータプログラムプロダクト。
付記７９
前記間隔のうちの少なくとも２つの間において、前記送信機は、１つの無線フレームよりも小さい期間の間電源が切られる付記７８に記載のコンピュータプログラムプロダクト。
付記８０
前記間隔のうちの少なくとも１つ中において、前記送信機は、１つの無線フレームよりも小さい期間の間電源が入れられる付記７９に記載のコンピュータプログラムプロダクト。
【図１】
0005559180.tif 000002
【図２】
0005559180.tif 000003
【図３】
0005559180.tif 000004
【図４】
0005559180.tif 000005
【図５】
0005559180.tif 000006
【図６】
0005559180.tif 000007
【図７】
0005559180.tif 000008
【図８】
0005559180.tif 000009
【図９】
0005559180.tif 000010
【図１０】
0005559180.tif 000011
【図１１】
0005559180.tif 000012